(57)【要約】【課題】  正確で且つ市場ニーズに合致した情報を収集及び提供する。【解決手段】  携帯電話機2は、カメラ機能により撮影した画像とGPS機能により測位した位置のデータとを収集して管理サーバ5宛に送信する。管理サーバ5は、携帯電話機2から送られてきた画像と位置のデータを画像データベース6に蓄積する。管理サーバ5は、携帯電話機2から送信されてきたデータに対する修正依頼情報を必要に応じて生成し、その修正依頼情報を携帯電話機2に宛てて送信する。そして、管理サーバ5は、その修正依頼情報に応じて携帯電話機2から送られてきたデータにより、先のデータを修正若しくは差し替え、そのデータをデータ要求者へ提供する。【選択図】  図1
2006236160.tif 000002
【特許請求の範囲】
【請求項１】
少なくとも、撮影した画像のデータとその画像撮影時の端末の位置を示すデータとを収集して送信する情報収集端末と、
上記情報収集端末から送信されてきた画像及び位置のデータを蓄積するデータベース装置と、
上記情報収集端末から送信されてきた画像と位置の少なくとも何れかに対する修正依頼情報を生成する修正依頼生成手段と、当該修正依頼情報を上記情報収集端末宛に送信する通信手段と、上記修正依頼情報に応じて上記情報収集端末から送られてきたデータにより上記画像と位置の少なくとも何れかを修正若しくは上記データベース装置の蓄積データを差し替える修正手段と、上記データベース装置に蓄積されたデータをデータ要求者へ提供するデータ提供手段とを少なくとも備えたデータ管理装置とを有する
ことを特徴とする情報収集提供システム。
【請求項２】
上記データ管理装置は、複数若しくは一つの情報収集端末から送信されてきた複数のデータから、重複したデータを排除して上記データベース装置へ蓄積させる制御を行う重複排除制御手段を有することを特徴とする請求項1記載の情報収集提供システム。
【請求項３】
上記データ管理装置は、複数の位置修正基準点を含む地図データベースを備え、
上記修正手段は、上記情報収集端末から送られてきた位置を、上記地図データベースの位置修正基準点に基づいて修正することを特徴とする請求項1又は請求項2記載の情報収集提供システム。
【請求項４】
上記データ管理装置は、所望の情報の収集を要求するためのリクエスト情報を、情報収集端末に宛てた電子メール情報として生成、又は、情報収集端末により閲覧可能なインターネット上のサイトへの掲示情報として生成するリクエスト情報生成手段を有することを特徴とする請求項1乃至請求項3のうち、何れか一項に記載の情報収集提供システム。
【請求項５】
少なくとも、撮影した画像とその画像撮影時の端末の位置を示すデータとを収集して送信する情報収集端末と、
上記情報収集端末から送信されてきた画像及び位置のデータを蓄積するデータベース装置と、
上記データベース装置のデータに対する価値判断と整理を行うために、当該データベース装置に蓄積されているデータに対してオークション形式で仮入札を行う仮入札装置と、
上記仮入札装置での仮入札により価値判断と整理が行われたデータを、所定のデータオークションシステムへ出品するデータオークション装置とを有する
ことを特徴とする情報収集提供システム。
【請求項６】
上記データオークション装置により出品されたデータのうち、上記所定のデータオークションシステムで落札されなかったデータに対して所定のデータ加工若しくはマージ処理を施す加工装置を有し、
上記データオークション装置は、上記加工装置による加工若しくはマージ処理後のデータを、再度上記所定のデータオークションへ出品することを特徴とする請求項5記載の情報収集提供システム。
【請求項７】
上記情報収集端末から送信されてきた画像と位置の少なくとも何れかに対する修正依頼情報を生成する修正依頼生成手段と、当該修正依頼情報を上記情報収集端末宛に送信する通信手段と、上記修正依頼情報に応じて上記情報収集端末から送られてきたデータにより上記画像と位置の少なくとも何れかを修正若しくは上記データベース装置の蓄積データを差し替える修正手段と、上記データベース装置に蓄積されたデータをデータ要求者へ提供するデータ提供手段とを少なくとも備えたデータ管理装置を有することを特徴とする請求項5又は請求項6記載の情報収集提供システム。
【請求項８】
上記データ管理装置は、複数若しくは一つの情報収集端末から送信されてきた複数のデータから、重複したデータを排除して上記データベース装置へ蓄積させる制御を行うことを特徴とする請求項7記載の情報収集提供システム。
【請求項９】
上記データ管理装置は複数の位置修正基準点を含む地図データベースを備え、上記修正手段は、上記情報収集端末から送られてきた位置を、上記地図データベースの位置修正基準点に基づいて修正することを特徴とする請求項7又は請求項8記載の情報収集提供システム。
【請求項１０】
上記データ管理装置は、所望の情報の収集を要求するためのリクエスト情報を、情報収集端末に宛てた電子メール、若しくは、情報収集端末により閲覧可能なインターネット上のサイトへの掲示により、上記情報収集端末へ通知することを特徴とする請求項7乃至請求項9のうち、何れか一項に記載の情報収集提供システム。
【請求項１１】
少なくとも、撮影した画像のデータとその画像撮影時の端末の位置を示すデータとを収集して送信する複数の情報収集端末と、
複数の情報収集端末から送信されてきた略々同じ地域の複数の画像及び位置のデータを蓄積するデータベース装置と、
上記データベース装置に蓄積された上記略々同じ地域の複数の画像及び位置のデータを、所定の機関へ即時提供するデータ管理装置とを有する
ことを特徴とする情報収集提供システム。
【請求項１２】
少なくとも、撮影した画像のデータとその画像撮影時の端末の位置を示すデータとを情報収集端末が収集してデータ管理装置へ送信するステップと、
上記情報収集端末が収集した画像及び位置のデータをデータベース装置に蓄積するステップと、
上記情報収集端末が収集した画像と位置の少なくとも何れかに対する修正依頼情報を、データ管理装置の修正依頼生成手段が生成するステップと、
上記修正依頼生成手段が生成した修正依頼情報をデータ管理装置の通信手段が上記情報収集端末宛に送信するステップと、
上記修正依頼情報に応じて上記情報収集端末から送られてきたデータを用いて、データ管理装置の修正手段が、上記画像と位置の少なくとも何れかを修正若しくは上記データベース装置の蓄積データを差し替えるステップと、
上記データベース装置に蓄積されたデータを、データ管理装置のデータ提供手段が、データ要求者へ提供するステップとを有する
ことを特徴とする情報収集提供方法。
【請求項１３】
複数若しくは一つの情報収集端末から送信されてきた複数のデータから、上記データ管理装置の重複制御手段が、重複したデータを排除して上記データベース装置へ蓄積させる制御を行うステップを有することを特徴とする請求項12記載の情報収集提供方法。
【請求項１４】
上記データ管理装置が備える地図データベースに蓄積されている位置修正基準点に基づいて、上記修正手段が、上記情報収集端末から送られてきた位置を修正するステップを有することを特徴とする請求項12又は請求項13記載の情報収集提供方法。
【請求項１５】
所望の情報の収集を要求するためのリクエスト情報を、上記データ管理装置のリクエスト情報生成手段が、上記情報収集端末に宛てた電子メール情報として生成、若しくは、情報収集端末により閲覧可能なインターネット上のサイトへの掲示情報として生成するステップを有することを特徴とする請求項12乃至請求項14のうち、何れか一項に記載の情報収集提供方法。
【請求項１６】
少なくとも、撮影した画像のデータとその画像撮影時の端末の位置を示すデータとを情報収集端末が収集してデータ管理装置へ送信するステップと、
上記情報収集端末が収集した画像及び位置のデータをデータベース装置に蓄積するステップと、
上記データベース装置のデータの価値判断と整理を行うために、当該データベース装置に蓄積されているデータを、仮入札装置がオークション形式で仮入札するステップと、
上記仮入札装置での仮入札により価値判断と整理が行われたデータを、オークション管理装置が所定のデータオークションシステムへ出品するステップとを有する
ことを特徴とする情報収集提供方法。
【請求項１７】
上記オークション管理装置により出品されたデータのうち、上記所定のデータオークションシステムで落札されなかったデータに対して、加工装置が所定のデータ加工若しくはマージ処理を施すステップを有し、
上記加工装置による加工若しくはマージ処理後のデータを、上記オークション管理装置が、再度上記所定のデータオークションへ出品するステップを有することを特徴とする請求項16記載の情報収集提供方法。
【請求項１８】
上記情報収集端末が収集した画像と位置の少なくとも何れかに対する修正依頼情報を、データ管理装置の修正依頼生成手段が生成するステップと、
上記修正依頼生成手段が生成した修正依頼情報を、データ管理装置の通信手段が上記情報収集端末宛に送信するステップと、
上記修正依頼情報に応じて上記情報収集端末から送られてきたデータを用いて、データ管理装置の修正手段が、上記画像と位置の少なくとも何れかを修正若しくは上記データベース装置の蓄積データを差し替えるステップと、
上記データベース装置に蓄積されたデータを、データ管理装置のデータ提供手段が、データ要求者へ提供するステップとを有することを特徴とする請求項16又は請求項17記載の情報収集提供方法。
【請求項１９】
複数若しくは一つの情報収集端末から送信されてきた複数のデータから、上記データ管理装置の重複制御手段が、重複したデータを排除して上記データベース装置へ蓄積させる制御を行うステップを有することを特徴とする請求項18記載の情報収集提供方法。
【請求項２０】
上記データ管理装置が備える地図データベースに蓄積されている位置修正基準点に基づいて、上記修正手段が、上記情報収集端末から送られてきた位置を修正するステップを有することを特徴とする請求項18又は請求項19記載の情報収集提供方法。
【請求項２１】
所望の情報の収集を要求するためのリクエスト情報を、上記データ管理装置のリクエスト情報生成手段が、上記情報収集端末に宛てた電子メール情報として生成、若しくは、情報収集端末により閲覧可能なインターネット上のサイトへの掲示情報として生成するステップを有することを特徴とする請求項18乃至請求項20のうち、何れか一項に記載の情報収集提供方法。
【請求項２２】
少なくとも、撮影した画像のデータとその画像撮影時の端末の位置を示すデータとを、複数の情報収集端末が収集してデータ管理装置へ送信するステップと、
複数の情報収集端末から送信されてきた略々同じ地域の複数の画像及び位置のデータをデータベース装置に蓄積するステップと、
上記データベース装置に蓄積された上記略々同じ地域の複数の画像及び位置のデータを、データ管理装置が所定の機関へ即時提供するステップとを有する
ことを特徴とする情報収集提供方法。
【発明の詳細な説明】
【技術分野】
【０００１】
本発明は、例えば、市街地の地図やいわゆるタウン情報誌を作成する際などに必要とされる様々な情報を収集し、それらの情報を企業へ提供するための情報収集提供システム及び情報収集提供方法に関する。
【背景技術】
【０００２】
近年は、様々な種類の情報が売買されており、多くの企業が種々の情報を求めている。その一例として、市街地の地図データを作製している企業の場合は、例えば新たに建物等が建設されたとき、その建物等を地図データに反映させるために、当該建物が建設されたこと、さらにはその建物がどのような建物であるのか等のような様々な付加情報をいち早く知る必要がある。また例えば、いわゆるタウン情報誌を発行している企業の場合には、新しい店の情報やユーザが興味を引くもの、催し物等に関する情報を収集すること、さらにはそれら情報の価値を高めるための付加的な情報を収集する必要がある。
【０００３】
なお、特開2002−73689号の公開特許公報（特許文献1）には、情報収集携帯端末により、例えば動植物等の調査対象物に関するデータを現地にて収集及び送信し、そのデータを中央管理装置のデータベースに登録する情報収集システムが開示されている。この情報収集システムにおいて、情報収集携帯端末は、デジタルカメラとGPS（Global Positioning System）装置と通信機とを備え、調査対象物をデジタルカメラにて撮影したデータとその撮影位置をGPS装置にて測位した位置データとを、通信機により中央管理装置へ送信する。また、中央管理装置は、情報収集携帯端末から送信されてきた撮影データと位置データを、調査対象物の分布を示すデータベースに登録する。これにより、この公報記載の技術によれば、自然動植物等の調査対象物のデータベースを容易に作成することが可能となっている。
【特許文献１】特開2002−73689号公報（第1図、第2図）
【発明の開示】
【発明が解決しようとする課題】
【０００４】
ところで、各企業において、各々必要としている情報を収集するためには、例えば街に多くの調査員を派遣したり、アンケートを実施するなどの情報調査が必要になり、各企業においてそれらの情報収集作業は大きな負担になっている。
【０００５】
また、調査員の派遣やアンケートの実施のみにより収集される情報は、企業が予め想定している情報になってしまい易く、それら以外の有用な情報については収集されなくなってしまう可能性が高い。
【０００６】
その一方で、種々雑多な情報をすべて収集するようにした場合、それらには当該企業にとって不要な情報や誤った情報、同じ情報などが多く含まれてしまうことになり易く、この場合には企業側にて所望の情報を取捨選択しなければならなくなる。そして、当該情報の取捨選択の際には、その選択した情報が正確で且つ本当に価値のある情報であるか、言い換えれば、当該収集選択した情報は市場ニーズに合致した情報であるのかなどを、その都度判定しなければならず、企業にとって大きな負担になるばかりか、その情報判定が正しいかどうかをも判断しなければならなくなる。
【０００７】
さらに、上述の特開2002−73689号の公開特許公報に記載されているような情報収集システムを用いた場合、情報収集携帯端末のデジタルカメラの撮影データと位置データを中央管理装置にて収集し、それらをデータベース化することはできるが、このシステムにおける調査対象物は動植物であり、収集したデータの使用用途は動植物の分布となっているため、各調査対象物の位置については多少の誤差を含んでいてもさほど問題とされていない。このため、例えば市街地の地図作成用途のように、収集データに対して高い位置精度が求められる用途には不向きである。なお、当該情報収集システムで使用されているGPS装置による測位情報には、或る程度の誤差が含まれており、正確な位置を取得するのは難しい。
【０００８】
そこで、本発明は上記問題を解決すべくなされたものであり、正確で且つ市場ニーズに合致し、さらには付加価値の高い情報を収集及び提供することができる情報収集提供システム及び情報収集提供方法を提供することをその目的とする。
【課題を解決するための手段】
【０００９】
本願に係る発明は上記課題を解決すべくなされたものであり、本発明は、少なくとも、撮影した画像のデータとその画像撮影時の端末の位置を示すデータとを情報収集端末が収集してデータ管理装置へ送信し、上記情報収集端末が収集した画像及び位置のデータをデータベース装置に蓄積する。また、上記情報収集端末が収集した画像と位置の少なくとも何れかに対する修正依頼情報を、データ管理装置の修正依頼生成手段が生成し、その修正依頼情報をデータ管理装置の通信手段が上記情報収集端末宛に送信する。そして、その修正依頼情報に応じて上記情報収集端末から送られてきたデータを用いて、データ管理装置の修正手段が、上記画像と位置の少なくとも何れかを修正若しくは上記データベース装置の蓄積データを差し替え、当該データベース装置に蓄積されたデータを、データ管理装置のデータ提供手段がデータ要求者へ提供する。
【００１０】
このような本発明によれば、情報収集端末が収集したデータが不正確なデータである場合に、当該データを正確なデータに修正でき、また、情報収集端末が収集したデータが市場ニーズから外れている場合に、当該データを市場ニーズに合ったデータに修正できる。
【００１１】
また、本発明においては、上記データベース装置のデータの価値判断と整理を行うために、当該データベース装置に蓄積されているデータを、仮入札装置がオークション形式で仮入札し、その仮入札装置での仮入札により価値判断と整理が行われたデータを、オークション管理装置が所定のデータオークションシステムへ出品する。
【００１２】
このような本発明によれば、仮入札装置での仮入札により、データベース装置のデータに対する価値判断と整理を行うことで、より市場ニーズに合ったデータをデータオークションシステムへ出品することができる。
【００１３】
また、本発明においては、少なくとも、撮影された画像のデータとその画像撮影時の端末の位置を示すデータとを複数の情報収集端末が収集してデータ管理装置へ送信し、それら複数の情報収集端末から送信されてきた略々同じ地域の複数の画像及び位置のデータをデータベース装置に蓄積する。そして、上記データベース装置に蓄積された上記略々同じ地域の複数の画像及び位置のデータを、データ管理装置が所定の機関へ即時提供する。
【００１４】
このような本発明によれば、略々同じ地域に存在している複数の情報収集端末が収集した複数のデータを、所定の機関へ即時提供することができ、所定の機関では、それら略々同じ地域の情報収集端末にて収集された複数のデータにより、その地域の状況を把握できると共にデータの信憑性を判断することもできる。
【発明の効果】
【００１５】
以上説明したように本発明の情報収集提供システム及び情報収集提供方法によれば、正確で且つ市場ニーズに合致すると共に付加価値の高い情報を収集及び提供することが可能となる。
【発明を実施するための最良の形態】
【００１６】
次いで、本発明を実施するための最良の形態について、図を参照しつつ説明する。
【００１７】
〔第1の実施形態のシステム構成〕
本発明の実施形態について図面を参照しながら説明する。図1には、本発明の第1の実施形態に係る情報収集提供システムの全体構成図を示す。
【００１８】
図1に示すように、本発明の第1の実施形態の情報収集提供システムは、少なくとも、ユーザ1が所持しているGPS機能及びカメラ機能を備えた携帯電話機2と、その携帯電話機2との間で電子メールの送受信を行うメールセンタ4と、ユーザ1が携帯電話機2を用いて収集及び送信してきた情報を管理すると共に当該情報を必要に応じて加工して他の企業（企業15，16等）に販売するための管理サーバ5とを有して構成されている。
【００１９】
また、本実施形態の情報収集提供システムは、ユーザ1からの情報の収集及び送信に対して金銭換算が可能となされた所定のポイントを付与すると共にそのポイントを管理するポイントサーバ8と、当該システムへの入会管理と入力したユーザ1の情報管理や当該ユーザ1からの照会に応じてポイント残額の提示等を行うポータルサーバ11と、当該システムにおけるポイントの管理費の収納代行を携帯電話キャリア会社14に要請するための課金サーバ12なども備えている。
【００２０】
上記ポータルサーバ11は、ユーザ1が携帯電話機2を介して入会申し込みを行ったとき、その入会の可否を判断すると共に、入会可と判断したときには当該ユーザ1の会員登録を行う。会員登録が行われたユーザの会員データは、当該ポータルサーバ11から管理サーバ5へアップロードされる。一方、管理サーバ5からポータルサーバ11へは、当該システムに関する種々のインフォメーションデータのアップデートが行われる。
【００２１】
メールセンタ4は、ユーザ1が携帯電話機2を用いて他者との間で電子メールの送受信を行う際の電子メール交換処理を行う。
【００２２】
管理サーバ5は、本実施形態のシステムに会員登録しているすべてのユーザ1、若しくは、全会員の中から選抜したユーザ1に対して情報の収集を要請するためのリクエスト情報を生成し、そのリクエスト情報を各ユーザ1の携帯電話機2宛ての電子メールとしてメールセンタ4へ送る。これにより、各ユーザ1の携帯電話機2には、上記リクエスト情報の電子メールが送信されることになる。
【００２３】
また、管理サーバ5は、例えば他企業（企業15，16等）から、所望の情報についてのリサーチリクエストが送られてきたとき、そのリサーチリクエストに基づいて、本実施形態のシステムに会員登録しているすべてのユーザ1、若しくは、当該リサーチリクエストの内容に相応しいとして選抜したユーザ1に対するリクエスト情報を生成し、そのリクエスト情報を各ユーザ1の携帯電話機2宛ての電子メールとしてメールセンタ4へ送ることも行う。
【００２４】
なお、リクエスト情報は、電子メールにより送信される場合の他、ポータルサーバ11が管理するポータルサイト上に掲示されても良い。
【００２５】
ユーザ1は、上記管理サーバ5から例えば画像の収集を要請するリクエスト情報の電子メールを受け取ったとき、或いは、ポータルサイト上に掲示された当該リクエスト情報を取得したとき、例えば、上記携帯電話機2のカメラ機能により、そのリクエスト情報に応じた画像を撮影する。そして、当該ユーザ1から送信指示が入力されたとき、携帯電話機2は、上記カメラ機能により撮影された画像データと、当該画像を撮影したときにGPS機能により測位した位置データとを、例えば電子メールに添付し、管理サーバ5に宛てて（つまり本システムの情報送信宛先として登録されているアドレスに宛てて）送信する。
【００２６】
なおここでは、ユーザ1は、リクエスト情報に応じて画像の撮影とその画像データ及び位置データの送信を行う例を挙げたが、リクエスト情報によらずにユーザが任意に撮影した画像のデータとその位置データが管理サーバ5へ送信されても良い。
【００２７】
管理サーバ5は、上記ユーザ1の携帯電話機2から送られてきた画像データと位置データを受け取ると、例えば、先着順で後になったデータを用いないようにすることなどにより、重複したデータを排除する制御を行う。
【００２８】
そして、管理サーバ5は、ユーザ1の携帯電話機2から送られてきた画像データ及び位置データが、先に送信したリクエスト情報に見合った情報であるか、また、不足した情報がないか否か等を判断する。
【００２９】
ここで、ユーザ1の携帯電話機2から送られてきた画像データ及び位置データがリクエスト情報に見合った情報であると判断した場合や、不足した情報がないと判断した場合、管理サーバ5は、その画像データ及び位置データを画像データベース6に登録する。また、管理サーバ5は、地図データベース7に登録されている地図データを、必要に応じてそれら画像データ及び位置データを用いて加工等した後に更新する。
【００３０】
一方、管理サーバ5は、ユーザ1の携帯電話機2から送られてきたデータが、例えばリクエスト情報に見合わないと判断した場合や、不足する情報があると判断した場合には、それらについての修正をユーザ1に求めるための修正依頼情報を生成し、その修正依頼情報を、そのユーザ1の携帯電話機2に宛ての電子メールとしてメールセンタ4を介して送信する。
【００３１】
すなわち例えば、上記ユーザ1の携帯電話機2から送られてきたデータが、先のリクエスト情報に見合わないと判断した場合、管理サーバ5は、当該リクエスト情報に合うデータの例えば再収集と送信を求める修正依頼情報を、当該ユーザ1の携帯電話機2へ送る。また例えば、例えば画像の撮影方角を特定するための情報が不足していると判断した場合、管理サーバ5は、その撮影方角を特定するための情報を要求する修正依頼情報を、当該ユーザ1の携帯電話機2へ送る。また例えば、画像の撮影位置が地図データベース7上に登録されている実際の地図上の位置と比較して不適当であり、当該画像の撮影位置を正確に特定するための情報が不足していると判断した場合、管理サーバ5は、上記撮影位置を正確に特定するための情報を要求する修正依頼情報を、当該ユーザ1の携帯電話機2へ送る。
【００３２】
上記管理サーバ5から修正依頼情報を受け取ったユーザ1は、当該修正依頼情報に応じて、画像を再度撮影したり、撮影方角を示す情報を例えばテキスト入力したり、当該画像の撮影位置を正確に特定するための情報を収集する等の操作を行い、それら情報を携帯電話機2から管理サーバ5に宛てて送信させる。
【００３３】
そしてこのときの管理サーバ5は、上記修正依頼情報に応じて返信されてきた情報に基づいて、先の画像データや位置データを差し替え若しくは修正し、それら差し替え若しくは修正後のデータを画像データベース6に登録すると共に、地図データベース7に登録されている地図データをそれら画像データ及び位置データを用いて加工等することにより、例えば画像付きの地図データを生成する。なお、撮影位置を正確に特定するための情報に基づく位置データの修正についての具体例については後述する。
【００３４】
その後、管理サーバ5（つまり本システムを運営する企業）は、その加工後のデータ、つまり画像付きの地図データを、希望する他の企業等に送信（つまり販売する）。なお、先にリサーチリクエストが行わることでデータの収集がなされた場合には、そのリサーチリクエストを行った企業15，16等に対して収集データの送信（販売）を行う。
【００３５】
また、管理サーバ5は、上記データを収集及び送信してきたユーザ1に対して、そのデータの価値に応じた所定のポイントを付与するために、当該ユーザ1の会員情報とポイント付与情報をポイントサーバ8へ送信する。なお、ユーザ1に対してリクエストした情報が、例えば収集の困難な情報であったり、特別価値のある情報であるような場合には、その情報収集に対して付与するポイントを通常時よりも増額したり、例えば期間限定でポイント増額を行うようなことを行い、各会員ユーザ1の情報収集意欲を高めるようなことも可能である。もちろん、データの収集及び送信に対する対価は、ポイントにより還元される場合のみならず、会員ユーザ1が指定する銀行口座に入金することにより還元するようにしても良い。
【００３６】
この会員情報とポイント付与情報を受けたポイントサーバ8は、会員データベース9の会員情報とポイントデータベース10のポイント情報を更新する。
【００３７】
また、本実施形態のシステムにおいて、上記ポイントサーバ8が管理しているポイントは、例えばインターネット上に出店している所定のショップでの商品購入代金への補填や、いわゆる電子マネーや他社の別のポイントとの交換も可能となされている。この場合、ユーザ1が携帯電話機2を用いて例えばショップにて商品を購入したり、例えば電子マネー等との交換を申請した場合、上記ポイントサーバ8からは、上記商品購入代金や電子マネーの額に応じたポイントが減額されると共に、そのポイント情報がショップの管理サーバ17や電子マネー等の管理サーバ18へ通知されることになる。
【００３８】
なお、ポイントサーバ8における各会員のポイントデータの管理は、例えば月額固定料金のような有償によりなされても、或いは、無償にてなされても良い。また、本実施形態のシステムにおいて、ポイントデータの管理が有償である場合、各会員ユーザのポイント口座の管理費用は、例えば課金サーバ12が携帯電話キャリア会社14の収納代行サービスを利用することにより、携帯電話料金と合わせて請求されても良い。
【００３９】
〔第1の実施形態システムのタイムフローチャート〕
図2には、本発明の第1の実施形態に係る情報収集提供システムにおけるタイムフローチャートを示す。
【００４０】
前記図1及びこの図2において、ユーザ1は、先ず、携帯電話機2を用い、例えばインターネットを介して、ポータルサーバ11より管理されているポータルサイトにアクセスし、当該ポータルサイト上で本実施形態のシステムへの入会要求（T1）を行う。ポータルサーバ11では、ユーザ1からの入会要求についての審査が行われ、入会が認めて会員登録が行われたときには、ユーザ1の携帯電話機2へ登録通知（T2）が返される。その後、ポータルサーバ11は、当該ユーザ1の会員データを管理サーバ5へ送信（T3）する。
【００４１】
管理サーバ5は、ポータルサーバ11から送られてきた会員データをポイントサーバ8と課金サーバ12に送信（T4，T5）する。
【００４２】
次に、管理サーバ5は、登録されている会員ユーザ1に対して送信するリクエスト情報を生成（T6）し、そのリクエスト情報をメールセンタ4へ送信（T7）する。そして、メールセンタ4は、当該リクエスト情報の電子メールをユーザ1の携帯電話機2へ送信（T8）する。
【００４３】
次に、ユーザ1が携帯電話機2を用いて撮影した画像データとその位置データはメールセンタ4に送られ（T9）、さらに、そのデータは管理サーバ5へ転送（T10）される。
【００４４】
上記画像データ及びその位置データを受け取った管理サーバ5は、そのデータについて修正が必要か否か判定（T11）し、修正が必要と判定したときには、修正依頼情報を生成し、メールセンタ4を介してユーザ1の携帯電話機2へ送信（T12，T13）する。
【００４５】
次に、ユーザ1の携帯電話機2から修正データが送信（T14）され、メールセンタ4を介してその修正データを受け取る（T15）と、管理サーバ5は、その修正データを用いて例えば先に受け取ったデータの修正（T16）等を行い、その修正後のデータをデータベース6，7に登録（T17）する。
【００４６】
そして、管理サーバ5は、ユーザ1に対して所定のポイントを付与するために、ポイントサーバ8のポイント更新制御（T18）を行う。その後、ポイントサーバ8では、必要に応じて、ショップの管理サーバ17や電子マネーの管理サーバ18との間で、当該ユーザ1のポイントの交換（T20）等を行う。
【００４７】
また、管理サーバ5は、データの提供を希望する企業15，16等に対して、加工データの販売（T19）を行う。
【００４８】
また、課金サーバ12は、携帯電話キャリア会社14の収納代行サービスを利用して、ポイント管理費の徴収（T21）を行う。
【００４９】
〔データの修正例〕
次に、本発明の第1の実施形態に係る情報収集提供システムにおいて、ユーザ1が収集したデータの修正例として、位置データを修正する場合の具体例を図3を参照しながら説明する。
【００５０】
地図データベース7内には、図3に示すように、或るエリア内に敷設されている各電柱D1〜D9の画像及び電柱番号（以下電柱情報とする）等とその敷設位置との対応データが登録されており、管理サーバ5は、当該地図データベース7内の電柱情報と電柱設置位置との対応データを用いて、ユーザ1からの送られてきた位置データを修正する機能を備えている。
【００５１】
ここで、ユーザ1の携帯電話機2から送られてきた画像の撮影位置が、上記地図データベース7上に登録されている実際の地図上の位置と比較して不適当であり、当該画像の撮影位置を正確に特定できないと判断した場合、管理サーバ5は、ユーザ1近傍に敷設されている電柱の電柱情報を要求する修正依頼情報を生成し、その修正依頼情報をユーザ1の携帯電話機2へ送信する。
【００５２】
この修正依頼情報を受け取ったユーザ1は、当該近傍の電柱を携帯電話機2のカメラ機能により撮影する。そして、ユーザ1は、当該電柱の撮影画像データと、その撮影の際にGPS機能により測位した位置データとを、携帯電話機2から管理サーバ5に宛てて送信させる。
【００５３】
上記携帯電話機2から電柱の撮影画像データと位置データを受け取った管理サーバ5は、当該電柱の撮影画像データと位置データを、地図データベース7内の対応データと比較することにより、ユーザ1が撮影した電柱の敷設位置と当該電柱の実際の敷設位置との例えば差分を求める。
【００５４】
そして、管理サーバ5は、当該差分に基づいて、ユーザ1が先に収集したデータの位置を修正（補正）する。
【００５５】
なお、この例では、電柱敷設位置に基づいて位置の修正を行う例を挙げているが、位置修正の基準点は、電柱敷設位置に限定されず、その他のもの、例えば、郵便ポスト敷設位置やマンホール敷設位置、ゴミ集積場位置、携帯基地局設置位置などであっても良い。
【００５６】
〔第1の実施形態の作用・効果〕
以上説明した本発明の第1の実施形態に係る情報収集提供システムによれば、リサーチリクエストを行う企業15，16に対して市場ニーズに合致した情報を提供できると共に、ユーザ1が収集したデータについて修正依頼を送り、その修正依頼に応じてユーザ1から返送されたデータを用いた修正を行うことができるため、正確な情報を収集することが可能となる。
【００５７】
〔第2の実施形態のシステム構成〕
次に、本発明の第2の実施形態について図面を参照しながら説明する。図4には、本発明の第2の実施形態に係る情報収集提供システムの全体構成図を示す。なお、図4において、図1に示した第1の実施形態のシステム構成要素と同一のものには同じ指示符号を付し、その説明は省略する。
【００５８】
図4に示す本発明の第2の実施形態の情報収集提供システムは、ユーザ1が収集したデータをオークションに出品するデータ（以下、オークションデータとする）として受け取るオークションデータサーバ22と、ユーザ1から出品されたオークションデータを蓄積する第1のオークションデータベース23と、当該第1のオークションデータベース23に登録されたオークションデータに対して仮入札を行うことにより、そのデータの価値判断と整理を行うためのダミー入札サーバ25，26と、当該価値判断及び整理がなされた後のデータを、オークションメンバー企業29，30，31等が実際に入札及び落札を行うことのできるオークションデータとして蓄積する第2のオークションデータベース24と、それらオークションデータへの入札及び落札を管理するオークション管理サーバ27と、オークションメンバー企業29，30，31等により落札がなされた場合にその落札金額についての決済処理を行う決済サーバ28とを備えている。なお、第1のオークションデータベース23と第2のオークションデータベース24は、オークションデータサーバ22により、そのデータの蓄積及び読み出しが制御されている。
【００５９】
この第2の実施形態の情報収集提供システムにおいて、メールセンタ4は、ユーザ1が管理サーバ5からのリクエスト情報に基づいて収集して送信したデータ、若しくは、ユーザが任意に収集して送信したデータを、オークションへの出品データ（オークションデータ）としてリアルタイムにオークションデータサーバ22へ転送する。
【００６０】
オークションデータサーバ22は、上記メールセンタ4を介してユーザ1から出品されたオークションデータを、第1のオークションデータベース23に登録する。なお、このとき、ユーザ1は、当該出品したオークションデータを、携帯電話機2を介して閲覧可能となされている。
【００６１】
ダミー入札サーバ25，26は、第1のオークションデータベース23に登録された多数のデータの中から、オークションメンバー企業29，30，31がより高い金額で入札及び落札を行うと考えられるデータの選定を行うため、つまり、データの価値に応じた選定を行うために、当該第1のオークションデータベース23のデータに対して仮入札を行う。そして、ダミー入札サーバ25，26での仮入札により価値判断及び整理がなされたデータは、オークション管理サーバ27により本入札及び落札された後、オークションデータサーバ22を介して第2のオークションデータベース24に登録される。なお、仮入札は、オークション管理サーバ27が行っても良い。また、ダミー入札サーバ25，26による仮入札を経ずに、第1のオークションデータベース23に登録されたデータを直ちに第2のオークションデータベース24へ登録しても良い。
【００６２】
第2のオークションデータベース24に登録されたデータは、オークションメンバー企業29，30，31等が実際に入札及び落札可能となされる。なお、実際に落札されたデータは、落札金額の入金がなされた場合にのみ、上記第2のオークションデータベース24から、その落札企業へ送信されることになる。
【００６３】
また、第2のオークションデータベース24に登録されているデータのうち、オークションメンバー企業29，30，31により落札されなかったデータは、オークション管理サーバ27により最低入札額にて落札される。そして、当該最低入札額にて落札されたデータは、管理サーバ5へ送られる。
【００６４】
このときの管理サーバ5は、オークション管理サーバ27から送られてきたデータに対して所望の加工、マージ等を施すことにより、オークションメンバー企業29，30，31が入札及び落札を行うと考えられる内容のデータを生成する。そして、当該加工後のデータは、オークション管理サーバ27に送り返され、オークションデータサーバ22を介して第2のオークションデータベース24に再登録（再出品）される。
【００６５】
上記第2のオークションデータベース24に出品されたデータがオークションメンバー企業29，30，31により落札されると、当該落札したオークションメンバー企業から落札額（オークション落札手数料を含んでいても良い）に相当する金額情報が決済サーバ28へ送られる。
【００６６】
そして、決済サーバ28からは、オークション管理サーバ27に落札金額情報が送られ、この落札金額情報は、さらにオークション管理サーバ27から管理サーバ5へ送られる。
【００６７】
このときの管理サーバ5は、前述の第1の実施形態と同様に、ユーザ1に対して、その落札金額に所定のポイントを付与するために、当該ユーザ1の会員情報とポイント付与情報を、図4では図示を省略しているポイントサーバ8へ送信する。もちろん、落札金額は、ポイントにより還元される場合のみならず、会員ユーザ1が指定する銀行口座に決済サーバ28から入金されても良い。
【００６８】
なお、本実施形態のシステムにおいて、各会員ユーザのオークション管理費用、オークション利用料等は、課金サーバ12が携帯電話キャリア会社14の収納代行サービスを利用し、携帯電話料金と合わせて請求するようになされている。
【００６９】
〔第2の実施形態システムのタイムフローチャート〕
図5には、本発明の第2の実施形態に係る情報収集提供システムにおけるタイムフローチャートを示す。なお、図5において、図2に示した第1の実施形態のシステムのタイムフローチャートと同一の工程には同じ指示符号を付し、その説明は省略する。
【００７０】
前記図4及びこの図5において、オークションデータサーバ22は、メールセンタ4を介してユーザ1からの画像及び位置データを受信すると、そのデータを第1のオークションデータベース23に蓄積する。そして、ダミー入札サーバ25，26による仮入札が行われない場合にはそのデータが直ちに第2のオークションデータベース24に蓄積して出品（T31）され、一方、ダミー入札サーバ25，26による仮入札（T33）による価値判断と整理が行われた場合には、その価値判断及び整理後のデータがオークション管理サーバ27により落札（T34）されて第2のオークションデータベース24に蓄積して出品される。
【００７１】
オークション管理サーバ27は、第2のオークションデータベース24にて出品されているデータが、オークションメンバー企業29，30，31により落札されたか否か判定（T35）する。そして、オークションメンバー企業29，30，31により落札されなかったデータは、当該オークション管理サーバ27が最低入札額にて落札（T36）する。
【００７２】
上記第2のオークションデータベース24に出品されたデータが、オークションメンバー企業29，30，31により落札されたとき、又は、オークション管理サーバ27により最低入札額にて落札されたとき、その落札情報は、オークションデータサーバ22からメールセンタ4に送られ（T37）、さらに当該メールセンタ4からユーザ1の携帯電話機2へ送られる（T38）。
【００７３】
また、第2のオークションデータベース24に出品されているオークションデータのうち、オークションメンバー企業29，30，31により落札されず、オークション管理サーバ27により最低入札額にて落札されたデータは、上記管理サーバ5へ送られる（T39）。
【００７４】
このときの管理サーバ5は、オークション管理サーバ27から送られてきたデータに対して所望の加工、マージ等を施す（T40）。そして、当該加工後のデータは、オークションデータサーバ22により第2のオークションデータベース24に蓄積（T41）され、オークションに再出品（T42）される。その後は、オークション管理サーバ27により、第2のオークションデータベース24にて出品されているデータの落札判定（T43）がなされる。
【００７５】
そして、上記第2のオークションデータベース24に出品されたデータが、オークションメンバー企業29，30，31により落札されたとき、又は、オークション管理サーバ27により最低入札額にて落札されたとき、決済サーバ28からは、オークション管理サーバ27に落札金額情報が送られると共に、ユーザ1に対して、その落札金額に応じたポイント還元や口座への入金が行われる（T44）。
【００７６】
その他、課金サーバ12では、携帯電話キャリア会社14の収納代行サービスを利用して、オークション管理費の徴収（T45）が行われる。
【００７７】
〔第2の実施形態の作用・効果〕
以上説明した本発明の第2の実施形態に係る情報収集提供システムによれば、オークションメンバー企業29，30，31は、各々が所望する情報の提供を受けることができる。また、ダミー入札サーバ25，26によりオークションに出品されたデータの仮入札を行うことで、多数のオークション出品データの中から、オークションメンバー企業29，30，31が所望するであろう情報、つまり市場ニーズに合った情報を選抜することができ、その結果として、オークションメンバー企業29，30，31は各々より価値のある情報の提供を受けることができるようになる。さらに、オークションにて入札されなかったデータは、オークション管理サーバ27により最低落札額で落札されるため、ユーザ1は、データの収集に対する最低限の対価を受けることができ、一方、そのデータは管理サーバ5にて加工等が施された後に再出品されるため、落札され易くなる。
【００７８】
〔第3の実施形態のシステム構成〕
次に、本発明の第3の実施形態について図面を参照しながら説明する。図6には、本発明の第3の実施形態に係る情報収集提供システムの全体構成図を示す。なお、図6において、図1や図4に示した実施形態のシステム構成要素と同一のものには同じ指示符号を付し、その説明は省略する。
【００７９】
図6に示す本発明の第3の実施形態の情報収集提供システムの場合、管理サーバ5は、例えば事件、事故、災害等が発生した場合に、その現場3の近辺に居るユーザ1に対して、その事件、事故、災害等の状況を問い合わせるための問い合わせ情報を生成し、その問い合わせ情報をメールセンタ4を介してユーザ1の携帯電話機2へ送信する。
【００８０】
上記問い合わせ情報に応じてユーザ1の携帯電話機2から画像や位置データが送信されてきた場合、管理サーバ5は、同一地域の多数のユーザ1の携帯電話機2から送られてきたすべてのデータを集積し、それらデータをリアルタイムで関係機関、すなわち例えば警察41や消防42，役所等の地方公共団体43へ送信する。なお、各関係機関に対しては、情報を提供してきた会員ユーザ1の情報を、必要に応じて提供することも可能である。
【００８１】
これにより、そのデータを受け取った関係機関は、事件、事故、災害等の状況を知ることができ、それらの状況に応じた対処が可能となる。また、関係機関は、受け取った多数のデータが同じ事件、事故、災害等の情報であるかを判定することにより、例えば愉快犯等による偽の情報を排除するような信憑性判断を行うことができる。
【００８２】
またこの第3の実施形態では、上記データを収集及び送信してきたユーザ1に対して、そのデータの価値に応じた所定のポイントを付与することができる。
【００８３】
また、本実施形態のシステムにおいて、ポイントサーバ8が管理しているポイントは、ユーザ1に還元する場合だけでなく、例えばそれら事件、事故、災害等が発生した地域への寄付金等として還元するようにしても良い。
【００８４】
〔第3の実施形態システムのタイムフローチャート〕
図7には、本発明の第3の実施形態に係る情報収集提供システムにおけるタイムフローチャートを示す。なお、図7において、前述の図2や図5に示した各実施形態のシステムのタイムフローチャートと同一の工程には同じ指示符号を付し、その説明は省略する。
【００８５】
前記図6及びこの図7において、管理サーバ5は、何らかの事件、事故、災害等についての問い合わせ情報を生成（T51）し、その問い合わせ情報をメールセンタ4へ送信（T52）する。メールセンタ4は、当該問い合わせ情報をユーザ1の携帯電話機2へ送信（T53）する。
【００８６】
次に、ユーザ1が携帯電話機2を用いて撮影して送信してきた画像データとその位置データは、管理サーバ5により画像データベース6等に登録（T17）されると共に、リアルタイムに諸関係機関へ提供（T54）される。
【００８７】
〔第3の実施形態の作用・効果〕
以上説明した本発明の第3の実施形態に係る情報収集提供システムによれば、例えば事件、事故、災害等が発生した場合に、関係機関は、その現場3の状況を速やかに知ることができるようになる。また、このシステムによれば、同一地域から同じ目的で集められた多数の情報を集積することができるため、それら情報の信憑性を判断可能となる。
【００８８】
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【図面の簡単な説明】
【００８９】
【図１】本発明の第1の実施形態に係る情報収集提供システムの概略的な全体構成図である。
【図２】本発明の第1の実施形態に係る情報収集提供システムのタイムフローチャートである。
【図３】位置データの修正例の説明に用いる図である。
【図４】本発明の第2の実施形態に係る情報収集提供システムの概略的な全体構成図である。
【図５】本発明の第2の実施形態に係る情報収集提供システムのタイムフローチャートである。
【図６】本発明の第3の実施形態に係る情報収集提供システムの概略的な全体構成図である。
【図７】本発明の第3の実施形態に係る情報収集提供システムのタイムフローチャートである。
【符号の説明】
【００９０】
1…会員ユーザ
2…携帯電話機
3…現場
4…メールセンタ
5…管理サーバ
6…画像データベース
7…地図データベース
8…ポイントサーバ
9…会員データベース
10…ポイントデータベース
11…ポータルサーバ
12…課金サーバ
14…携帯電話キャリア会社
15，16…企業
17…ショップの管理サーバ
18…電子マネーの管理サーバ
22…オークションデータサーバ
23…第1のオークションデータベース
24…第2のオークションデータベース
25，26…ダミー入札サーバ
27…オークション管理サーバ
28…決済サーバ
29，30，31…オークションメンバー企業
41…警察
42…消防
43…地方公共団体
【図１】
2006236160.tif 000003
【図２】
2006236160.tif 000004
【図３】
2006236160.tif 000005
【図４】
2006236160.tif 000006
【図５】
2006236160.tif 000007
【図６】
2006236160.tif 000008
【図７】
2006236160.tif 000009